(57)【要約】      （修正有）【課題】異なったサイズのキーボードへの取り付けを可能とするため、フレキシブルな紙を用いるとともに自由度の高い形状に変更し、また、キーボードへの取り付け方法を改良することによって汎用性を高めたタッチタイピング入力用障壁具を提供する。【解決手段】各指間の区切り用障壁１１〜１７を１枚の接続用障壁２で一体化させる構造とし、区切り用障壁１１〜１７の下方をフリーにして、上方側のみ接続用障壁２で一体化させ、更に、異なった高さのキーに対応するため、高さ調整壁を取り付ける。これを紙製とすると、複数枚区切り用障壁１１〜１７と接続用障壁２とが１枚のように折り畳まれる。【選択図】図１
0003193726.tif 000002
【実用新案登録請求の範囲】
【請求項１】
キーボード入力の際の各指の入力範囲を仕切る複数の区切り用障壁と、この複数の区切り用障壁を接続する１枚の接続用障壁とを備えたことを特徴とするタッチタイピング入力用障壁具。
【請求項２】
前記複数の区切り用障壁は、キー配列の隙間に差し込まれ、前記接続用障壁はキー配列の上辺の隙間、又は、上方の数字キーとその下方の隙間に差し込まれることを特徴とする請求項１記載のタッチタイピング入力用障壁具。
【請求項３】
前記複数の区切り用障壁又は前記接続用障壁には、所定の配列キーの位置を示すための傾斜、湾曲、又は、凹凸形状が形成されていることを特徴とする請求項１または２記載のタッチタイピング入力用障壁具。
【請求項４】
前記複数の区切り用障壁は、前記接続用障壁に沿って折り畳み可能に構成されて複数枚の重ね合された状態になることを特徴とする請求項１または２記載のタッチタイピング入力用障壁具。
【請求項５】
前記複数の区切り用障壁の下方側端部が折り曲げられて最下段文字キーとその上方の隙間に差し込まれる構成、又は、前記接続用障壁がキー配列の下辺の隙間に差し込まれる構成であることを特徴とする請求項１から３のいずれか一項記載のタッチタイピング入力用障壁具。
【請求項６】
前記複数の区切り用障壁及び前記接続用障壁は紙製であることを特徴とする請求項１から５のいずれか一項記載のタッチタイピング入力用障壁具。
【請求項７】
仕様書又は説明書に切り取り線を介して取り付けられており、切り取り線から外した接続状態のものを所定形状に展開して使用する構成、又は、切り取り線から外した別々のものを連結して使用する構成であることを特徴とする請求項６記載のタッチタイピング入力用障壁具。
【請求項８】
前記複数の区切り用障壁と前記接続用障壁の配列状態の高さを異ならせることで、キー配列高さに対応した高さ調整をする構成となっていることを特徴とする請求項１から７のいずれか一項記載のタッチタイピング入力用障壁具。
【考案の詳細な説明】
【技術分野】
【０００１】
本考案は、パソコンのタッチタイピングによるキーボード入力に伴う誤打の削減と、タッチタイピング体得のサポートを目的としたタッチタイピング入力用障壁具である。
【背景技術】
【０００２】
キーボードから早く正確な文字入力を行うにはタッチタイピングが有効であるが、タッチタイピングは親指２本を除く８指それぞれが打つべきキーとその範囲を記憶したうえで、キーボードを見ずに各指の入力範囲にあるキーを正確にタッチすることを体得することが必要である。
【０００３】
しかし、タッチタイピング未体得者は、各指の入力範囲を越えて隣接キーを誤打してしまうことからタッチタイピング本来のスピーディな入力ができない。このため各指の入力範囲間を障壁等で物理的に区切ることによって、他の指が入力範囲に侵入することを防止し、それによってタッチタイピングによる誤打を削減することを可能とする。
【０００４】
各指の入力範囲を区切り用障壁で仕切ることは、特許文献１や特許文献２で文献公知となっているが、これらは区切り用障壁をキーボードのサイズに合わせた定型の外枠に取り付け、この外枠をキーボードへ固定する構造である。
【先行技術文献】
【特許文献】
【０００５】
【特許文献１】特開平１１−２０３０２７号公報
【特許文献２】実用新案登録第３０６２２９８号公報
【考案の概要】
【考案が解決しようとする課題】
【０００６】
従来の、外枠によってキーボードに固定する装置では、外枠が定型であるため異なったサイズのキーボードへの取り付けができず汎用性に乏しい。
【０００７】
また従来の、区切り用障壁が外枠に取り付けられている構造の場合、前記装置をキーボードから外しても折り畳むことができないため、収納性や運搬性が悪い。
【０００８】
さらには、前記装置をキーボードに取り付けた際、前記装置をゴムやシリコン等で形成すると材質の粘着力が大きくキーの上下動作の支障になり、また、金属、プラスチック等の硬い材質で形成するとパソコン利用者の怪我が懸念される。
【課題を解決するための手段】
【０００９】
本考案のタッチタイピング入力用障壁具は、キーボード入力の際の各指の入力範囲を仕切る複数の区切り用障壁と、この複数の区切り用障壁を接続する１枚の接続用障壁とを備えたことを特徴とする。
【００１０】
本考案によれば、タッチタイピング入力用障壁具をキーボードの所定の位置に差し込むだけで、キーボード左右方向へのズレは前記複数の区切り用障壁が抑止し、かつ、キーボード上下方向へのズレは前記接続用障壁が抑止する。
【００１１】
本考案は、前記複数の区切り用障壁は、キー配列の隙間に差し込まれ、前記接続用障壁はキー配列の上辺の隙間、又は、上方の数字キーとその下方の隙間に差し込まれることを特徴とする。
【００１２】
本考案によれば、タッチタイピング入力用障壁具はタッチタイピング入力に耐え得る十分な強さでキーボードに固定される。
【００１３】
本考案は、前記複数の区切り用障壁又は前記接続用障壁には、所定の配列キーの位置を示すための傾斜、湾曲、又は、凹凸形状が形成されていることを特徴とする。
【００１４】
本考案は、前記複数の区切り用障壁は、前記接続用障壁に沿って折り畳み可能に構成されて複数枚の重ね合された状態になることを特徴とする。
【００１５】
本考案は、前記複数の区切り用障壁の下方側端部が折り曲げられて最下段文字キーとその上方の隙間に差し込まれる構成、又は、前記接続用障壁がキー配列の下辺の隙間に差し込まれる構成であることを特徴とする。
【００１６】
本考案は、前記複数の区切り用障壁及び前記接続用障壁は紙製であることを特徴とする。
【００１７】
本考案は、仕様書又は説明書に切り取り線を介して取り付けられており、切り取り線から外した接続状態のものを所定形状に展開して使用する構成、又は、切り取り線から外した別々のものを連結して使用する構成であることを特徴とする。
【００１８】
本考案は、前記複数の区切り用障壁と前記接続用障壁の配列状態の高さを異ならせることで、キー配列高さに対応した高さ調整をする構成となっていることを特徴とする。
【００１９】
本考案は、タッチタイピング入力用障壁具の形成にはフレキシブル性が高い厚手の紙を用いていることと、区切り用障壁は上端のみで接続用障壁に接続させることで下端をフリーにしていることから、当考案は材質的、構造的な自由度が高い。
【００２０】
そして、本考案の材質は、ゴムやシリコン等の材質よりも粘着力が小さく、且つ、金属、プラスチック等よりも十分に柔らかく、安全性が高い紙製を用いている。
【考案の効果】
【００２１】
本考案のタッチタイピング入力用障壁具は、各指の入力範囲に隣接するキーへのミスタッチを防止できることからキーボード入力に伴う誤打の削減ができるとともに、当該タッチタイピング入力用障壁具を利用することによって自ずとタッチタイピングを練習することになるので継続利用することによってタッチタイピングを早期に体得することが期待できる。
【００２２】
本考案のタッチタイピング入力用障壁具にはキーボードへの固定用の外枠等はなく、複数の区切り用障壁と１枚の接続用障壁で形成される当装置を所定の位置に差し込むだけでキーボードへの固定が可能であることから、異なったキーボードサイズへの対応が可能となる。
【００２３】
本考案は、材質的、構造的な自由度が高い紙製とすることで、キーボードから取り外せば薄平たく畳めるため収納性や運搬性に優れている。
【００２４】
本考案のタッチタイピング入力用障壁具は、紙で形成することで、キー動作に支障なく所定の機能を満たし、且つ、利用者の怪我の可能性を低減することができる。
【図面の簡単な説明】
【００２５】
【図１】本考案のタッチタイピング入力用障壁具を示す斜視図である。
【図２】本考案のタッチタイピング入力用障壁具をキーボードに取り付けた使用態様を示す斜視図である。
【図３】本考案のタッチタイピング入力用障壁具を拡大して示す斜視図である。
【図４】本考案のタッチタイピング入力用障壁具を下方向から示す斜視図である。
【図５】本考案のタッチタイピング入力用障壁具を上方向から示す斜視図である。
【図６】本考案のタッチタイピング入力用障壁具に高さ調整壁が取り付けられて高くセットされた状態を示す斜視図である。
【図７】本考案のタッチタイピング入力用障壁具に高さ調整壁が取り付けられて低くセットされた状態を示す斜視図である。
【図８】本考案のタッチタイピング入力用障壁具となる展開図が説明書に取り付けられた状態を示す平面図である。
【考案を実施するための形態】
【００２６】
本考案の実施の形態を図に基づいて以下に説明する。
【００２７】
図１は、本考案のタッチタイピング入力用障壁具１を示す斜視図である。図２は、本考案のタッチタイピング入力用障壁具１をパソコンのキーボードに取り付けた例である。図３は、本考案のタッチタイピング入力用障壁具１を拡大して示す斜視図である。
本考案に係る区切り用障壁１０（符号１１〜１７）は人の各指の入力範囲を個々に独立させるためのもので、接続用障壁２は区切り用障壁１１〜１７を一体的に接続させるもので、簾のように下方がフリーの状態で、上方が接続されている（図１〜図３）。
【００２８】
前記区切り用障壁１１〜１７と、接続用障壁２の高さは、タッチタイピング入力用障壁具１が自立し障壁としての機能を確保するために、タッチタイピング入力用障壁具１をキーボードに完全に差し込んだ状態でも配列キーより数ミリメートル上方に出る高さに形成することでキーボードに強く固定できる（図２を参照）。
【００２９】
複数の区切り用障壁１１〜１７は、キー配列（文字キーと文字キーの間）の隙間６ａに差し込まれる（図２）。また、前記接続用障壁２は、キー配列の上辺の隙間６ａに直線状に差し込まれる（図２）。したがって、直線的に差し込み易く、安定姿勢で配置できる。なお、前記接続用障壁２は、上方の数字キーとその下方の隙間６ｂに差し込まれるものとしても良い。一方、前記複数の区切り用障壁１の下方側端部は折り曲げられて、最下段文字キーとその上方の隙間６ｃに差し込まれる（図２）。なお、キー配列の下辺の隙間６ｄに差し込まれるものでも良い。
【００３０】
図３に示すとおり、例えば、区切り用障壁１１はキー配置に合わせて山折り４箇所と谷折り３箇所の計７箇屈折しており、この屈折箇所を所定キーの隙間に差し込みタッチタイピング入力用障壁具１を固定することで自立し障壁として機能する。
【００３１】
複数の区切り用障壁１１〜１７と接続用障壁２は、同じ幅の紙製で、屈曲部７ａ又は７ｂが容易に形成でき、キー配列の隙間６ａ〜６ｃに差し込み長さや屈曲部を容易に調整可能である（図３）。また、前記複数の区切り用障壁１１〜１７、又は前記接続用障壁２の所定箇所に、所定の配列キーの位置を示すため傾斜、湾曲、又は、凹凸形状が形成されている（図示せず）。したがって、最初の指の位置の確認や、操作中の指の位置の確認などに使用できる。
【００３２】
図４と図５は、前記複数の区切り用障壁１１〜１７を前記接続用障壁２に沿って折り畳んで複数枚の重ね合された状態にすることを説明する図である。複数の区切り用障壁１１〜１７は配列キーを区切る屈曲部７ａ又は７ｂが展開可能に引き伸ばされて、複数枚の重ね合わされた状態になる。すなわち、複数枚区切り用障壁１１〜１７と接続用障壁２とが１枚のように折り畳まれることとなる。
【００３３】
図６と図７は、異なった高さのキーに対応を可能とするため、前記区切り用障壁１１〜１７と前記接続用障壁２に高さ調整壁３を取り付けた状態にすることを説明する図である。図６はキー高が高い場合に使用する例である。図７はキー高が低い場合に使用する例である。すなわち、前記接続用障壁２と高さ調整壁３は、キーボード配列への設置状態の高さ方向の幅が同じで、これらよりも前記複数の区切り用障壁１１〜１７の設置状態の高さ方向の幅を短くして差異を設け、異なった高さのキーに対応できるようにしている。
【００３４】
図７は、前記複数の区切り用障壁１１〜１７と前記接続用障壁２等がキーボードの仕様書やカタログなどの説明書に切り取り線を介して取り付けられて、切り取り線から外して組み立てる例を説明する図である。符号１９は、前記複数の区切り用障壁の予備である。
キーボードの仕様書やカタログなどの説明書に切り取り線を介して前記複数の区切り用障壁１１〜１７、前記接続用障壁２、両面テープ８が配置されて、切り取り線から外すことができる。そして、折り畳み用の線７ａ，７ｂに沿って折り畳み、糊代部を目印にして両面テープ８を使用して貼り付けると、本願考案のタッチタイピング入力用障壁具１となる。
【００３５】
上述の説明では、７つの前記区切り用障壁１１〜１７として説明したが、これに限定されるものではなく、前記区切り用障壁は３つ以上であればよく、また、前記区切り用障壁は１３以下であればよい。このように、本考案はその運用上、適宜設定変更することが可能である。
【符号の説明】
【００３６】
１            本考案のタッチタイピング入力用障壁具、
１０          区切り用障壁（各指の入力範囲を区切る障壁）、
１１          左手小指と薬指間の区切り用障壁、
１２          左手薬指と中指間の区切り用障壁、
１３          左手中指と人差指間の区切り用障壁、
１４          左手人差指と右手人差指間の区切り用障壁、
１５          右手人差指と中指間の区切り用障壁、
１６          右手中指と薬指間の区切り用障壁、
１７          右手薬指と小指間の区切り用障壁、
２            接続用障壁、
３            高さ調整壁、
６ａ    キーボードの隙間（キー配列の上辺の隙間）、
６ｂ    キーボードの隙間（上方の数字キーとその下方の隙間）、
６ｃ    キーボードの隙間（最下段文字キーとその上方の隙間）、
６ｄ    キーボードの隙間（キー配列の下辺の隙間）、
７ａ      折り畳み線（山折り屈曲部、実線）、
７ｂ      折り畳み線（谷折り屈曲部、破線）
【図１】
0003193726.tif 000003
【図２】
0003193726.tif 000004
【図３】
0003193726.tif 000005
【図４】
0003193726.tif 000006
【図５】
0003193726.tif 000007
【図６】
0003193726.tif 000008
【図７】
0003193726.tif 000009
【図８】
0003193726.tif 000010